(57)【要約】【課題】扁平に嵩低く折畳むことによって格納や携行に便利であり、しかも、指先の感覚で研磨の状況を感覚的に把握しながら作業を行うことができる研磨材を提供する。【解決手段】筒状芯材２を厚紙や段ボール紙を用いて角筒形に形成し、この筒状芯材２の外周にサンドペーパー３ａを用いた研磨材層３を設けて研磨材１とし、この研磨材１が扁平な状態に折畳み可能になっている。【選択図】図１
2007144585.tif 000002
【特許請求の範囲】
【請求項１】
筒状芯材の外周に研磨材層を設けた研磨材において、前記筒状芯材が紙製の角筒形に形成され、この筒状芯材が扁平な状態に折畳み可能になっていることを特徴とする研磨材。
【請求項２】
上記筒状芯材が、厚紙や段ボール紙を用い、内部に人の指を挿入することができる大きさの角筒形に形成され、前記筒状芯材が四隅の折り曲げ部分を利用して、二枚重ねの扁平な状態に折畳み可能となり、この筒状芯材の外周に設けた研磨材層がサンドペーパーで形成されていることを特徴とする請求項１に記載の研磨材。
【発明の詳細な説明】
【技術分野】
【０００１】
この発明は、紙を用いた筒状芯材の外周にサンドペーパーの研磨材層を設けて形成され、各種部材表面の研磨、研削に用いる研磨材に関する。
【背景技術】
【０００２】
従来、各種材料からなる部材の表面を研磨、研削するには、一般的にサンドペーパーが用いられており、サンドペーパーを直接手で保持して被研磨面を擦るか、サンドペーパーを適当な芯材に巻き付けた状態にして被研磨面を擦るようにしている。
【０００３】
ところで、サンドペーパーを直接手で保持して被研磨面を擦る場合、サンドペーパーの研磨材面の全体を均等に使用するのが難しく、研磨材の使い残しがある状態で廃棄されているのが現実であり、不経済である。
【０００４】
また、芯材に巻き付けて使用する方法は、芯材になるものを別途用意しなければならないという不便があり、サンドペーパーと芯材は相互に動きやすくこれを同時に保持することは作業性を低下させることになる。
【０００５】
このようなサンドペーパーの使用上での不便を解消するため、硬質コアの外周面にサンドペーパーの研磨材層を設け、回転工具の回転軸に取付けて使用する円筒状の研磨ロールが提案されている（例えば、特許文献１参照）。
【特許文献１】実用新案登録第３０８２４１１号公報
【発明の開示】
【発明が解決しようとする課題】
【０００６】
上記のような円筒状の研磨ロールは、外径面全面が研磨材面となり、回転工具に取付けて使用するので研磨材面の全体を均等に使用して消費することが可能になり、また、これを手で保持して手作業に使用すると、研磨作業時の保持も安定するので使い勝手がよいという利点がある反面、コアが硬質であるため、円筒状の形態が変化せず、嵩張るために格納や携行に不便であるという問題がある。
【０００７】
また、サンドペーパーによる研磨作業において、研磨ロールを回転させて機械的に行う研磨よりも、作業員がサンドペーパーを手で保持して研磨する手動作業の比率の方が断然多く、円筒状の研磨ロールでは汎用性に欠けると共に、例えば、職業上研磨を行う作業者は、研磨作業時に指先の感覚で研磨の状況を感覚的に把握しながら作業を行うものであり、円筒状の研磨ロールではこれに対応することができないという問題もある。
【０００８】
そこで、この発明の課題は、扁平に折畳むことができ、嵩低くなって格納や携行に便利であり、しかも、指先の感覚で研磨の状況を感覚的に把握しながら作業を行うことができる研磨材を提供することにある。
【課題を解決するための手段】
【０００９】
上記のような課題を解決するため、この発明は、筒状芯材の外周に研磨材層を設けた研磨材において、前記筒状芯材が紙製の角筒形に形成され、この筒状芯材が扁平な状態に折畳み可能になっている構成を採用したものである。
【００１０】
上記筒状芯材が、厚紙や段ボール紙を用い、内部に人の指を挿入することができる大きさの角筒形に形成され、前記筒状芯材が四隅の折り曲げ部分を利用して、二枚重ねの扁平な状態に折畳み可能となり、この筒状芯材の外周に設けた研磨材層がサンドペーパーで形成されている構造とすることができる。
【００１１】
ここで、筒状芯材は、一枚の厚紙や段ボール紙を角筒状に折り曲げて両端部を接着することにより形成され、この筒状芯材の外面にサンドペーパーを貼り付けることによって研磨材層が形成されている。
【００１２】
上記筒状芯材の断面形状の大きさは特に限定されないが、例えば、三本の指を並べて挿入できる程度の大きさの長方形の断面形状に形成するのが、研磨作業に適している。
【発明の効果】
【００１３】
この発明によると、外周に研磨材層を設けた筒状芯材が紙製の角筒形に形成され、この筒状芯材が扁平な状態に折畳み可能になっているので、研磨材を二枚重ねの扁平な状態に折畳むことで嵩低くなり、嵩張らないので、特に複数個を格納する場合や携行する場合に便利である。
【００１４】
また、筒状芯材が指を並べて挿入できる程度の大きさになっているので、筒状芯材に指を挿入して研磨作業が行え、指で握るような保持に比べ、研磨作業が安定して効率よく研磨面に力を加えることができ、しかも、筒状芯材の紙厚を介して指先の感覚で研磨の状況を感覚的に把握することができ、精度のよい研磨が行えることになる。
【００１５】
更に、筒状芯材が角筒状になっているので、研磨材層となるサンドペーパーの全体を研磨に使え、無駄の発生がないと同時に、広いフラットな研磨材面を確保することができ、研磨作業の能率向上が図れる。
【発明を実施するための最良の形態】
【００１６】
以下、この発明の実施の形態を添付図面に基づいて説明する。
【００１７】
図示のように、研磨材１は、筒状芯材２の外周に研磨材層３を設けた構造を有し、前記筒状芯材２が紙製の角筒形に形成され、この筒状芯材２が扁平な状態に折畳み可能になっている。
【００１８】
上記筒状芯材２は、図１（ｃ）のような厚紙２ａや図１（ｄ）のような段ボール紙２ｂを用い、一枚の厚紙２ａや段ボール紙２ｂを角筒状に折り曲げ、重ねた両端部を接着することにより形成され、この筒状芯材２の外面にサンドペーパー３ａを接着剤で貼り付けることによって研磨材層３が形成されている。
【００１９】
上記筒状芯材２の長さと大きさは特に限定されるものではないが、例えば、三本の指を並べて挿入できる程度の大きさの長方形の断面形状に形成するのが、研磨作業に適している。
【００２０】
この筒状芯材２は、四隅の折り曲げ部分を利用して、図１（ｂ）のように、二枚重ねの扁平な状態に折畳むことができるようになっている。
【００２１】
この発明の研磨材１は、上記のような構成であり、その使用時は、図２のように、筒状芯材２を角筒形にし、この筒状芯材２に指先を差し込んで研磨材１を保持し、研磨材層３を被研磨面に押し付け移動させて研磨すればよく、角筒形であるので手に安定よく装着できて研磨作業が行いやすく、広いフラットな研磨材層３で効率よく研磨できると共に、研磨材１は角筒形であるので研磨材層３の四面全面を有効に使用することができ、サンドペーパー３ａの無駄の発生がない。
【００２２】
また、研磨材１が角筒形であると、研磨作業が安定して効率よく研磨面に力を加えることができ、しかも、筒状芯材２の紙厚を介して指先の感覚で研磨の状況を感覚的に把握することができ、精度のよい研磨が行えることになる。
【００２３】
更に、研磨材１が扁平な状態に折畳み可能になっているので、研磨材１を二枚重ねの扁平な状態に折畳むことで嵩低くなり、複数を重ねても嵩張らないので、特に複数個を格納する場合や携行する場合に便利である。
【図面の簡単な説明】
【００２４】
【図１】（ａ）は研磨材の研磨作業に使用する状態の斜視図、（ｂ）は研磨材の扁平に折畳んだ状態を示す斜視図、（ｃ）は筒状芯材に厚紙を用いた研磨材の拡大した断面図、（ｄ）は筒状芯材に段ボール紙を用いた研磨材の拡大した断面図
【図２】研磨材を用いて研磨作業を行っている状態を示す斜視図
【符号の説明】
【００２５】
１          研磨材
２          筒状芯材
２ａ        厚紙
２ｂ        段ボール紙
３          研磨材層
３ａ        サンドペーパー  
【図１】
2007144585.tif 000003
【図２】
2007144585.tif 000004